(57)【要約】【課題】  無線基地局を介して携帯電話機と通信を行う在圏移動通信交換局で保持されている加入者データに不具合が生じた場合に、携帯電話機からの操作により不具合を解消する。【解決手段】ＶＭＣＣ（在圏移動通信交換局）２３の加入者データ記憶部２３ｂに記憶されている加入者データＢに不具合が発生して携帯電話機２１が“圏外”表示や発着信不能などの状態になった場合でも、同携帯電話機２１の使用者の操作により、同携帯電話機２１からＶＭＣＣ２３へ加入者データリセット要求が出力され、同ＶＭＣＣ２３で同加入者データリセット要求により、該当する加入者データＢが除去された後、ＳＣＰ２４から携帯電話機２１に対応する加入者データＡがダウンロードされる。このため、オペレータを通すことなく、加入者データＢが即座に復旧し、携帯電話システムのサービス性が向上する。【選択図】図１
2006109167.tif 000002
【特許請求の範囲】
【請求項１】
複数の携帯電話機と、
受け持ちの小ゾーン内で前記各携帯電話機と通信を行う複数の無線基地局と、
前記各携帯電話機の位置情報を含む加入者に関する情報を加入者データとして管理するサービス制御局と、
受け持ちの位置登録エリア内で前記各無線基地局の受け持ちの小ゾーンに在圏する前記各携帯電話機の位置する小ゾーンを常時把握して登録すると共に、前記サービス制御局から前記各携帯電話機に対応する前記加入者データをダウンロードして保持し、前記加入者データに基づいて前記各無線基地局を介して任意の前記携帯電話機と通信を行う複数の在圏移動通信交換局と、
受け持ちの前記各在圏移動通信交換局を一般電話回線網に接続する関門移動通信交換局とを備えてなる携帯電話システムであって、
前記各携帯電話機は、
当該携帯電話機の使用者の操作により、前記在圏移動通信交換局に保持されている前記加入者データをリセットするための加入者データリセット要求を出力する加入者データリセット手段が設けられ、
前記各在圏移動通信交換局は、
前記加入者データリセット要求により、該当する前記加入者データが除去された後、再び前記サービス制御局から当該携帯電話機に対応する前記加入者データをダウンロードする加入者データダウンロード手段が設けられていることを特徴とする携帯電話システム。
【請求項２】
前記サービス制御局は、
前記加入者データを保持するホームロケーションレジスタを備えてなることを特徴とする請求項１記載の携帯電話システム。
【請求項３】
前記ホームロケーションレジスタは、
前記加入者データの原本を記憶する加入者データ原本記憶部と、
該加入者データ原本記憶部に対して、前記加入者データの書込み又は読出しを行う呼処理部とを備えてなることを特徴とする請求項２記載の携帯電話システム。
【請求項４】
前記在圏移動通信交換局の加入者データダウンロード手段は、
前記ホームロケーションレジスタの前記加入者データ原本記憶部から読み出された加入者データを記憶する加入者データ記憶部と、
前記加入者データリセット要求により、前記加入者データ記憶部から該当する前記加入者データを除去した後、再び前記サービス制御局の前記加入者データ原本記憶部から当該携帯電話機に対応する前記加入者データをダウンロードして前記加入者データ記憶部に書き込む呼処理部とを備えてなることを特徴とする請求項３記載の携帯電話システム。
【請求項５】
複数の携帯電話機と、
受け持ちの小ゾーン内で前記各携帯電話機と通信を行う複数の無線基地局と、
前記各携帯電話機の位置情報を含む加入者に関する情報を加入者データとして管理するサービス制御局と、
受け持ちの位置登録エリア内で前記各無線基地局の受け持ちの小ゾーンに在圏する前記各携帯電話機の位置する小ゾーンを常時把握して登録すると共に、前記サービス制御局から前記各携帯電話機に対応する前記加入者データをダウンロードして保持し、前記加入者データに基づいて前記各無線基地局を介して任意の前記携帯電話機と通信を行う複数の在圏移動通信交換局と、
受け持ちの前記各在圏移動通信交換局を一般電話回線網に接続する関門移動通信交換局とを備えてなる携帯電話システムに用いられ、
前記各携帯電話機が、当該携帯電話機の使用者の操作により、前記在圏移動通信交換局に保持されている前記加入者データをリセットするための加入者データリセット要求を出力し、
前記各在圏移動通信交換局が、前記加入者データリセット要求により、該当する前記加入者データを除去した後、再び前記サービス制御局から当該携帯電話機に対応する前記加入者データをダウンロードすることを特徴とする加入者データ設定方法。
【請求項６】
コンピュータに請求項１乃至４のうちのいずれか一に記載の携帯電話システムを制御させるための加入者データ設定制御プログラム。
【発明の詳細な説明】
【技術分野】
【０００１】
この発明は、携帯電話システム、該システムに用いられる加入者データ設定方法及び加入者データ設定制御プログラムに係り、特に、無線基地局を介して携帯電話機と通信を行う在圏移動通信交換局で保持されている加入者データに、何らかの要因により不具合が生じることにより発着信不能などの状態になる場合に用いて好適な携帯電話システム、該システムに用いられる加入者データ設定方法及び加入者データ設定制御プログラムに関する。
【背景技術】
【０００２】
携帯電話システムでは、携帯電話機が、無線基地局、在圏移動通信交換局、及び関門移動通信交換局を介して通常の電話回線に接続される。携帯電話機が使用する無線電波の周波数チャネルには限りがあるため、混信を起こさないようにする必要がある。そのため、１つの無線基地局の出力を小さくして受け持つ範囲（ゾーン）を小さくし、離れたゾーン同士で同一の周波数チャネルを用い、同じ周波数チャネルを繰り返し使用する多数の小ゾーンが構成されている。また、携帯電話機は、いろいろな場所へ移動するため、サービス制御局や在圏移動通信交換局などで現在の位置のゾーンや電波の受信状態が常時把握されている。このため、携帯電話機の呼出しの際には、最も良い状態で受信できる無線基地局から呼び出される。また、携帯電話機は、通話中に隣のゾーンに移動しても、新しいゾーンで使用可能なチャネルに自動的に切り換えられため、通話がとぎれないようになっている。
【０００３】
この種の携帯電話システムは、従来では、たとえば図３に示すように、携帯電話機（Mobile Station、ＭＳ）１１と、無線基地局（Base Station、ＢＳ）１２，１３と、在圏移動通信交換局（Visit Mobile Control Center 、ＶＭＣＣ）１４，１５と、関門移動通信交換局（Gateway Mobile Control Center 、ＧＭＣＣ）１６と、サービス制御局（Service Control Point 、ＳＣＰ）１７とから構成されている。携帯電話機１１は、無線電波Ｗにより無線基地局１２に無線接続する。無線基地局１２は、受け持ちの小ゾーンＺ１内で所定の周波数の無線電波Ｗを用いて携帯電話機１１と通信を行う。小ゾーンＺ１は、無線基地局１２から放射される無線電波Ｗが届く領域である。同様に、無線基地局１３も、受け持ちの小ゾーンＺ２内で所定の周波数の電波を用いて図示しない携帯電話機と通信を行う。小ゾーンＺ２は、無線基地局１３から放射される電波が届く領域である。
【０００４】
ＶＭＣＣ１４は、受け持ちの位置登録エリアＳＡ内で無線基地局１２，１３の受け持ちの小ゾーンＺ１，Ｚ２に在圏する携帯電話機の位置を常時把握して登録すると共に、たとえば無線基地局１２を介して携帯電話機１１と通信を行う。位置登録エリアＳＡは、ＶＭＣＣ１４によってコントロールされる領域である。同様に、ＶＭＣＣ１５も、受け持ちの位置登録エリアＳＢ内で無線基地局の受け持ちの小ゾーンに在圏する携帯電話機の位置を常時把握して登録すると共に、同無線基地局を介して携帯電話機と通信を行う。位置登録エリアＳＢは、ＶＭＣＣ１５によってコントロールされる領域である。携帯電話機１１の位置が位置登録エリアＳＡから外れて位置登録エリアＳＢに移動した場合、同携帯電話機１１は同位置登録エリアＳＢで位置登録される。ＧＭＣＣ１６は、受け持ちのＶＭＣＣ１４，１５を一般電話回線網ＮＷに接続する。ＳＣＰ１７は、ＶＭＣＣ１４，１５の受け持ちの位置登録エリアＳＡ，ＳＢ内の各無線基地局（ＢＳ）の受け持ちの小ゾーンに在圏する各携帯電話機の位置情報を含む加入者に関する情報を加入者データとして管理する。
【０００５】
図４は、図３中の携帯電話機１１、無線基地局１２、ＶＭＣＣ１４及びＳＣＰ１７の要部を示す図である。
ＳＣＰ１７は、ＨＬＲ（Home Location Register、ホームロケーションレジスタ）１７ａを有している。ＨＬＲ１７ａは、呼処理部１７ｂと、加入者データ原本記憶部１７ｃとを有している。加入者データ原本記憶部１７ｃは、加入者データの原本を加入者データＡとして記憶する。呼処理部１７ｂは、加入者データ原本記憶部１７ｃに対して、加入者データＡの書込み又は読出しを行う。ＶＭＣＣ１４は、呼処理部１４ａと、加入者データ記憶部１４ｂとを有している。加入者データ記憶部１４ｂは、ＨＬＲ１７ａの加入者データ原本記憶部１７ｃから読み出された加入者データＡをダウンロードして加入者データＢとして記憶する。呼処理部１４ａは、加入者データ記憶部１４ｂに対して、加入者データＢの書込み又は読出しを行う。
【０００６】
この携帯電話システムでは、携帯電話機１１がＶＭＣＣ１４の管理しているエリアに在圏している場合、同ＶＭＣＣ１４は、ＨＬＲ１７ａの加入者データ原本記憶部１７ｃに保持されている加入者データＡをダウンロードして加入者データ記憶部１４ｂに加入者データＢとして保持している。そして、携帯電話機１１が位置登録又は発着信などの動作をする場合、加入者データ記憶部１４ｂに保持されている加入者データＢを参照する。このとき、何らかの要因により、加入者データＢに不具合（たとえば、データの誤操作など）が発生し、携帯電話機１１が「圏外」表示や発着信不能などの状態になることがある。この場合、ユーザは、携帯電話会社のサービス部門や最寄の携帯電話機販売店に連絡し、オペレータの手を介することにより、加入者データＢの不具合を解消する必要がある。
【０００７】
上記の携帯電話システムの他、従来、この種の技術としては、たとえば、次のような文献に記載されるものがあった。
特許文献１に記載された分散処理型サービス制御局のリソース初期設定方法では、交換機で特定のネットワーク呼の処理が継続不可能となった場合、初期設定すべき呼に対応した対話に対して初期設定要求信号が、対話ＩＤ及びプロセサＩＤが付加されてサービス制御局に送信される。複数のうちの１つのサービス制御用プロセサが通信制御用プロセサにより選択され、設定要求信号を受信すると、管理しているリソースを抽出し、初期化処理の結果の応答信号を同通信制御用プロセサに返送する。この通信制御用プロセサは、初期設定要求信号に対する応答信号を交換機に返送する。
【０００８】
特許文献２に記載されたサービス特番案内サービスシステムでは、交換機により、ＨＬＲ（加入者データ管理システム）から携帯端末に対応するサービス契約情報やサービス契約に対応する音源装置の識別番号を取り込むと共に、識別番号に基づいて音源装置からのサービス特番案内の情報を携帯端末に送信する。
【０００９】
特許文献３に記載された電子交換装置では、加入者及びトランクが収容された通話路ネットワークと、加入者及びトランクに関わる加入者データ及び局データを加入者データ／局データ記憶用ＲＡＭに記憶する。又、加入者データ／局データ記憶用ＲＡＭに記憶される加入者データ／局データの初期値を初期値記憶用ＲＯＭに記憶しておく。これらの加入者データ／局データ記憶用ＲＡＭ及び初期値記憶用ＲＯＭにはＣＰＵが接続され、データの記憶及び読取り制御が行われる。加入者データ／局データ記憶用ＲＡＭを強制的に初期化するには、データリセットスイッチを押下する。すると、リセット回路及びデータリセット回路が動作し、ＲＯＭに設けられている初期化転送プログラムが起動する。これにより、加入者データ／局データ記憶用ＲＡＭが強制的に初期化される。
【特許文献１】特開２０００−５０３２４号公報（要約書、図１）
【特許文献２】特開２０００−２７８４０９号公報（要約書、図１）
【特許文献３】特開平７−９９６７５号公報（第３頁、図１）
【発明の開示】
【発明が解決しようとする課題】
【００１０】
しかしながら、上記従来の携帯電話システムでは、次のような問題点があった。
すなわち、図４の携帯電話システムでは、在圏移動通信交換局（ＶＭＣＣ）１４で管理されている加入者データＢについては、携帯電話機１１のユーザが操作できることはなく、全て局側のオペレータの手に委ねられている。このため、加入者データＢに不具合が発生した場合、復旧のためには、ユーザが携帯電話会社のサービス部門や最寄の携帯電話機販売店に連絡し、オペレータが加入者データのクリアを行う必要があるため、手続きが煩雑になり、また、復旧までに時間を要するため、サービス性が著しく低下するという問題点がある。
【００１１】
また、特許文献１に記載されたリソース初期設定方法は、交換機から初期設定要求信号を受信した後のサービス制御局内の処理についての発明であり、この発明とは、主旨が異なっている。
【００１２】
特許文献２に記載されたサービスシステムは、サービス特番情報を携帯端末に送信する発明であり、この発明とは、主旨が異なっている。
【００１３】
特許文献３に記載された電子交換装置は、交換装置において機能追加などでデータを初期設定する場合の発明であり、この発明とは、主旨が異なっている。
【００１４】
この発明は、上述の事情に鑑みてなされたもので、在圏移動通信交換局（ＶＭＣＣ）に保持されている加入者データに不具合が発生した場合でも、容易に復旧させることのできる携帯電話システムを提供することを目的としている。
【課題を解決するための手段】
【００１５】
上記課題を解決するために、請求項１記載の発明は、複数の携帯電話機と、受け持ちの小ゾーン内で前記各携帯電話機と通信を行う複数の無線基地局と、前記各携帯電話機の位置情報を含む加入者に関する情報を加入者データとして管理するサービス制御局と、受け持ちの位置登録エリア内で前記各無線基地局の受け持ちの小ゾーンに在圏する前記各携帯電話機の位置する小ゾーンを常時把握して登録すると共に、前記サービス制御局から前記各携帯電話機に対応する前記加入者データをダウンロードして保持し、前記加入者データに基づいて前記各無線基地局を介して任意の前記携帯電話機と通信を行う複数の在圏移動通信交換局と、受け持ちの前記各在圏移動通信交換局を一般電話回線網に接続する関門移動通信交換局とを備えてなる携帯電話システムに係り、前記各携帯電話機は、当該携帯電話機の使用者の操作により、前記在圏移動通信交換局に保持されている前記加入者データをリセットするための加入者データリセット要求を出力する加入者データリセット手段が設けられ、前記各在圏移動通信交換局は、前記加入者データリセット要求により、該当する前記加入者データが除去された後、再び前記サービス制御局から当該携帯電話機に対応する前記加入者データをダウンロードする加入者データダウンロード手段が設けられていることを特徴としている。
【００１６】
請求項２記載の発明は、請求項１記載の携帯電話システムに係り、前記サービス制御局は、前記加入者データを保持するホームロケーションレジスタを備えてなることを特徴としている。
【００１７】
請求項３記載の発明は、請求項２記載の携帯電話システムに係り、前記ホームロケーションレジスタは、前記加入者データの原本を記憶する加入者データ原本記憶部と、該加入者データ原本記憶部に対して、前記加入者データの書込み又は読出しを行う呼処理部とを備えてなることを特徴としている。
【００１８】
請求項４記載の発明は、請求項３記載の携帯電話システムに係り、前記在圏移動通信交換局の加入者データダウンロード手段は、前記ホームロケーションレジスタの前記加入者データ原本記憶部から読み出された加入者データを記憶する加入者データ記憶部と、前記加入者データリセット要求により、前記加入者データ記憶部から該当する前記加入者データを除去した後、再び前記サービス制御局の前記加入者データ原本記憶部から当該携帯電話機に対応する前記加入者データをダウンロードして前記加入者データ記憶部に書き込む呼処理部とを備えてなることを特徴としている。
【００１９】
請求項５記載の発明は、加入者データ設定方法に係り、複数の携帯電話機と、受け持ちの小ゾーン内で前記各携帯電話機と通信を行う複数の無線基地局と、前記各携帯電話機の位置情報を含む加入者に関する情報を加入者データとして管理するサービス制御局と、受け持ちの位置登録エリア内で前記各無線基地局の受け持ちの小ゾーンに在圏する前記各携帯電話機の位置する小ゾーンを常時把握して登録すると共に、前記サービス制御局から前記各携帯電話機に対応する前記加入者データをダウンロードして保持し、前記加入者データに基づいて前記各無線基地局を介して任意の前記携帯電話機と通信を行う複数の在圏移動通信交換局と、受け持ちの前記各在圏移動通信交換局を一般電話回線網に接続する関門移動通信交換局とを備えてなる携帯電話システムに用いられ、前記各携帯電話機が、当該携帯電話機の使用者の操作により、前記在圏移動通信交換局に保持されている前記加入者データをリセットするための加入者データリセット要求を出力し、前記各在圏移動通信交換局が、前記加入者データ除去要求により該当する前記加入者データを除去した後、再び前記サービス制御局から当該携帯電話機に対応する前記加入者データをダウンロードすることを特徴としている。
【００２０】
請求項６記載の発明は、加入者データ設定制御プログラムに係り、コンピュータに請求項１乃至４のうちのいずれか一に記載の携帯電話システムを制御させることを特徴としている。
【発明の効果】
【００２１】
この発明の構成によれば、ＶＭＣＣ（在圏移動通信交換局）に保持されている加入者データに不具合が発生した場合、携帯電話機の使用者の操作により、同携帯電話機からＶＭＣＣへ加入者データリセット要求を出力し、同ＶＭＣＣで同加入者データリセット要求により、該当する加入者データを除去した後、ＳＣＰ（サービス制御局）から携帯電話機に対応する加入者データをダウンロードするので、オペレータを通すことなく、加入者データが即座に復旧し、携帯電話システムのサービス性を向上できる。
【００２２】
又、ＶＭＣＣの加入者データ記憶部に記憶されている加入者データに不具合が発生した場合、携帯電話機の使用者の操作により、同携帯電話機からＶＭＣＣへ加入者データリセット要求が出力され、同ＶＭＣＣで同加入者データリセット要求により、該当する加入者データが除去された後、ＳＣＰに設けられているホームロケーションレジスタの加入者データ原本記憶部から携帯電話機に対応する加入者データがダウンロードされるので、オペレータを通すことなく、加入者データが即座に復旧し、携帯電話システムのサービス性を向上できる。
【発明を実施するための最良の形態】
【００２３】
在圏移動通信交換局に保持されている加入者データに不具合が発生した場合、携帯電話機の使用者の操作により、同携帯電話機から同在圏移動通信交換局へ加入者データリセット要求を出力し、同在圏移動通信交換局で同加入者データリセット要求により、該当する加入者データを除去した後、サービス制御局から携帯電話機に対応する加入者データをダウンロードする携帯電話システムを提供する。
【実施例】
【００２４】
図１は、この発明の実施例である携帯電話システムの要部の電気的構成を示すブロック図である。
この例の携帯電話システムは、同図に示すように、携帯電話機２１と、無線基地局２２と、在圏移動通信交換局（ＶＭＣＣ）２３と、サービス制御局（ＳＣＰ）２４とから構成されている。携帯電話機２１は、無線電波Ｗにより最も近くにある無線基地局２２に無線接続する。また、携帯電話機２１は、自機の位置（どこの小ゾーンにいるかを示す）を知らせるために位置登録用信号を周期的に無線基地局２２に送信している。
【００２５】
特に、この実施例では、携帯電話機２１は、同携帯電話機２１全体を制御するＣＰＵ（中央処理装置）２１ａ及び同ＣＰＵ２１ａを動作させるための加入者データ設定制御プログラムが記録されたＲＯＭ（リード・オンリ・メモリ）２１ｂを有し、使用者の操作により、ＶＭＣＣ２３に保持されている加入者データをリセットするための加入者データリセット要求を示すパラメータを位置登録用信号に設定して無線基地局２２に送信する。無線基地局２２は、従来の図３中の無線基地局１２と同様に、受け持ちの小ゾーン内で所定の周波数の無線電波Ｗを用いて携帯電話機２１と通信を行う。小ゾーンは、無線基地局２２から放射される無線電波Ｗが届く領域である。
【００２６】
ＶＭＣＣ２３は、受け持ちの位置登録エリア内で無線基地局２２の受け持ちの小ゾーンに在圏する携帯電話機２１の位置を常時把握して登録すると共に、無線基地局２２を介して携帯電話機２１と通信を行う。位置登録エリアは、ＶＭＣＣ２３によってコントロールされる領域である。又、ＶＭＣＣ２３は、図３中の関門移動通信交換局１６と同様の図示しない関門移動通信交換局（ＧＭＣＣ）に接続され、同ＧＭＣＣは、受け持ちのＶＭＣＣを一般電話回線網に接続する。
【００２７】
特に、この実施例では、ＶＭＣＣ２３は、呼処理部２３ａと、加入者データ記憶部２３ｂと、ＣＰＵ２３ｃと、ＲＯＭ２３ｄとを備えている。加入者データ記憶部２３ｂは、ＨＬＲ２４ａの加入者データ原本記憶部２４ｃから読み出された加入者データＡをダウンロードして加入者データＢとして記憶する。呼処理部２３ａは、信号の送受信、受信した信号の分析、及び加入者データの制御などを行い、特に、この実施例では、携帯電話機２１からの加入者データリセット要求により加入者データ記憶部２３ｂから該当する加入者データを除去した後、再びサービス制御局（ＳＣＰ）２４の加入者データ原本記憶部２４ｃから当該携帯電話機に対応する加入者データＡをダウンロードして加入者データ記憶部２３ｂに書き込む。ＣＰＵ２３ｃは、ＶＭＣＣ２３全体を制御し、ＲＯＭ２３ｄは、同ＣＰＵ２３ｃを動作させるための加入者データ設定制御プログラムが記録されている。
【００２８】
サービス制御局（ＳＣＰ）２４は、携帯電話機の加入者全員の加入者データを保持し、各加入者が契約しているサービスの内容や、携帯電話機の現在の位置情報などを管理し、たとえば、ＶＭＣＣ２３の受け持ちの位置登録エリア内の無線基地局２２の受け持ちの小ゾーンに在圏する携帯電話機２１の位置情報を含む加入者に関する情報を加入者データとして管理する。特に、この実施例では、ＳＣＰ２４は、ＨＬＲ（Home Location Register、ホームロケーションレジスタ）２４ａを有している。ＨＬＲ２４ａは、呼処理部２４ｂと、加入者データ原本記憶部２４ｃとを有している。加入者データ原本記憶部２４ｃは、加入者データの原本を加入者データＡとして記憶する。呼処理部２４ｂは、加入者データ原本記憶部２４ｃに対して、加入者データＡの書込み又は読出しを行い、たとえば、ＶＭＣＣ２３からの位置登録要求により該当する加入者の位置情報を更新した後、加入者データを同ＶＭＣＣ２３に送信する。
【００２９】
図２は、図１中の在圏移動通信交換局２３の呼処理部２３ｂの動作を説明するフローチャートである。
この図を参照して、この例の携帯電話システムに用いられる加入者データ設定方法の処理内容について説明する。
この携帯電話システムでは、携帯電話機２１の使用者の操作により、同携帯電話機２１から無線基地局２２を経てＶＭＣＣ２３へ加入者データリセット要求が出力される。ＶＭＣＣ２３では、携帯電話機２１からの加入者データリセット要求により該当する加入者データＢが除去された後、ＳＣＰ２４から携帯電話機２１に対応する加入者データＡがダウンロードされる。
【００３０】
すなわち、携帯電話機２１がＶＭＣＣ２３の受け持ちの無線基地局２２の受け持ちの小ゾーンに位置し、同携帯電話機２１の加入者データが同ＶＭＣＣ２３が加入者データＢとして保持されているものとする。加入者データＢは、ＨＬＲ２４ａの加入者データＡをダウンロードしたものであり、内容が一致しているが、加入者データＢに何らかの要因により不具合（たとえば、呼処理部２３ａによる加入者データの誤操作など）が発生し、同ＨＬＲ２４ａに保持されている加入者データＡと不一致になったとする。このとき、携帯電話機２１から発信すると、呼処理部２３ａが加入者データＢを参照し、制御しようとするが、データに不具合が生じているため、データ異常が検出され、発信不能などの状態になる。又、携帯電話機２１への着信も、不能となる。また、携帯電話機２１からの周期的な位置登録についても、データ異常を検出し、“圏外”表示などの状態となる。
【００３１】
この状態になった場合、携帯電話機２１の使用者が同携帯電話機２１のメニュー操作により“加入者データリセット”を選択する。すると、携帯電話機２１では、位置登録用信号に加入者データリセットを示すパラメータが既存のパラメータで未使用のエリアに設定され、同信号が無線基地局２２に対して送信される。この後、携帯電話機２１では、加入者データリセット完了信号（位置登録完了を示す信号）を待つ状態となる。無線基地局２２は、加入者データリセットを示すパラメータが設定された位置登録用信号を受信すると、通常の位置登録用信号の受信と同様に、ＶＭＣＣ２３に転送する。
【００３２】
ＶＭＣＣ２３では、無線基地局２２より上記パラメータが設定された位置登録用信号を受信すると、呼処理部２３ａで信号の分析が行われる。この場合、図２に示すように、呼処理部２３ａでは、受信した信号の分析が行われ（ステップＡ１）、同信号が位置登録用信号以外の場合は、同信号に対応した処理が行われる。受信した信号が位置登録用信号であれば、加入者データリセットを示すパラメータが信号上に設定されているか否かの判定が行われ（ステップＡ２）、設定されていない場合は、通常の位置登録用信号受信時の処理が行われる。
【００３３】
一方、受信した位置登録用信号が加入者データリセットを示す場合、同位置登録用信号に設定されている加入者識別番号に基づいて加入者データの検索が行われる（ステップＡ３）。加入者データが検索された場合、該当する加入者データＢのクリア（除去）処理が行われ（ステップＡ４）、検索されなかった場合は、加入者データ検索ＮＧ（不能）を示す信号が携帯電話機２１に送信される。加入者データＢがクリアされた後、新たに加入者データを設定するために、位置登録要求信号がＨＬＲ２４ａに送信される（ステップＡ５）。この位置登録要求信号は、通常の位置登録時に送信される信号と同様のものである。位置登録要求信号がＨＬＲ２４ａで受信され、加入者データＡの位置情報が更新された後、同ＨＬＲ２４ａからの位置登録応答信号がＶＭＣＣ２３で受信されると共に加入者データＡが同ＶＭＣＣ２３にダウンロードされる（ステップＡ６）。このときのＨＬＲ２４ａの動作は、通常の位置登録要求信号受信時の動作と同様である。
【００３４】
ＨＬＲ２４ａからの位置登録応答信号がＶＭＣＣ２３で受信されると、加入者データＡが正常にダウンロードされたか否かの判定が行われ（ステップＡ７）、ダウンロードされなかった場合は、上記ステップＡ３にて検索ＮＧとなった場合と同様の動作が行われる。加入者データＡが正常にダウンロードされた場合、ダウンロードされたデータが新たに加入者データＢとして保持され（ステップＡ８）、加入者データリセット完了を示す信号が携帯電話機２１に送信される（ステップＡ９）。携帯電話機２１では、同信号をＶＭＣＣ２３より受信すると、加入者データリセットが行われたか否かが判定され、それぞれその旨を示すメッセージが表示画面に表示される。以上の処理により、携帯電話機２１によるＶＭＣＣ２３の加入者データＢのリセットが完了する。
【００３５】
以上のように、この実施例では、ＶＭＣＣ２３の加入者データ記憶部２３ｂに記憶されている加入者データＢに不具合が発生した場合、携帯電話機２１の使用者の操作により、同携帯電話機２１からＶＭＣＣ２３へ加入者データリセット要求が出力され、同ＶＭＣＣ２３で同加入者データリセット要求により、該当する加入者データＢが除去された後、ＳＣＰ２４に設けられているＨＬＲ２４ａの加入者データ原本記憶部２４ｃから携帯電話機２１に対応する加入者データＡがダウンロードされるので、オペレータを通すことなく、加入者データＢが即座に復旧し、携帯電話システムのサービス性が向上する。
【００３６】
以上、この発明の実施例を図面により詳述してきたが、具体的な構成は同実施例に限られるものではなく、この発明の要旨を逸脱しない範囲の設計の変更などがあっても、この発明に含まれる。
たとえば、上記実施例では、加入者データリセット要求を示すパラメータを位置登録用信号に設定して無線基地局２２に送信するようになっているが、発信用の信号や他の信号、又は新規に定義される信号に設定して送信するようにしても良い。また、実施例では、加入者データリセットを示すパラメータが既存のパラメータで未使用のエリアに設定されるようになっているが、既存のパラメータに限らず、他のパラメータ又は新規に定義されるパラメータのエリアに設定するようにしても良い。
【産業上の利用可能性】
【００３７】
この発明は、携帯電話機の他、たとえば、ＰＨＳ（Personal Handyphone System）、航空機電話、船舶電話などの移動体通信全般に適用できる。
【図面の簡単な説明】
【００３８】
【図１】この発明の実施例である携帯電話システムの要部の電気的構成を示すブロック図である。
【図２】図１中の在圏移動通信交換局２３の呼処理部２３ｂの動作を説明するフローチャートである。
【図３】従来の携帯電話システムの構成図である。
【図４】図３中の携帯電話機１１、無線基地局１２、ＶＭＣＣ１４及びＳＣＰ１７の要部を示す図である。
【符号の説明】
【００３９】
１６      関門移動通信交換局
２１      携帯電話機
２１ａ      ＣＰＵ（中央処理装置、加入者データリセット手段の一部）
２１ｂ      ＲＯＭ（リード・オンリ・メモリ、加入者データリセット手段の一部）
２２      無線基地局
２３      在圏移動通信交換局（ＶＭＣＣ）
２３ａ      呼処理部（加入者データダウンロード手段の一部）
２３ｂ      加入者データ記憶部（加入者データダウンロード手段の一部）
２３ｃ      ＣＰＵ（中央処理装置、加入者データダウンロード手段の一部）
２３ｄ      ＲＯＭ（リード・オンリ・メモリ、加入者データダウンロード手段の一部）
２４      サービス制御局（ＳＣＰ）
２４ａ      ＨＬＲ（Home Location Register、ホームロケーションレジスタ）
２４ｂ      呼処理部
２４ｃ      加入者データ原本記憶部
【図１】
2006109167.tif 000003
【図２】
2006109167.tif 000004
【図３】
2006109167.tif 000005
【図４】
2006109167.tif 000006